(57)【要約】  施工データの外部の活動および／または情報が、施工プロジェクト内部の多数のコンポーネント、サブコンポーネント、および／またはワークパッケージにわたる活動および／または情報を協調して取り出すことができるようにする階層的方式で自動的に取り込まれ、関連付けられる、施工管理および品質管理のシステムおよび方法が提示される。別の有利な点の中でも、想到されるシステムおよび方法は、施工記録を高速に協調して取り出すだけでなく、関連付けられた外部情報に応じてワークパッケージを動的に修正することができるようにする。
2013506933.tif 000002
【特許請求の範囲】
【請求項１】
複数の施工記録から情報を取り出すことを容易にする方法であって、
施工データベースサーバ上の施工データベース内に複数の施工記録を維持するステップと、
プラントコンポーネント、プラントサブコンポーネント、およびワークパッケージの少なくとも１つとそれぞれ関連付けられる複数の施工記録の外部の情報を自動的に得るステップと、
情報を使用して、多数の施工記録を自動的に取り出すことができるようにする方式で、複数の施工記録の少なくとも１つの施工記録と情報を関連付けるステップと、
情報に基づき複数の施工記録の取出しを可能にするように構成されるユーザインタフェースを提供するステップと
を含む方法。
【請求項２】
施工データベースが、エンジニアリング記録、コンポーネント記録、ワークパッケージ記録、アーカイブ記録、プロジェクトの文書およびデータの記録、ならびに調達記録からなるグループから選択される複数の記録を含む、請求項１に記載の方法。
【請求項３】
自動的に得るステップが、ベンダ記録を受け取るステップ、品質管理記録を受け取るステップ、現場報告記録を受け取るステップ、環境センサからデータを受け取るステップ、ＲＦＩＤ信号を受け取るステップ、およびバーコードリーダから信号を受け取るステップからなるグループから選択される、請求項１に記載の方法。
【請求項４】
複数の施工記録の外部の情報が、施工材料関連データ、ベンダ情報、工具較正データ、品質管理データ、天候データ、および人員関連データからなるグループから選択される、請求項１に記載の方法。
【請求項５】
施工記録のそれぞれが、プラントコンポーネント、プラントサブコンポーネント、およびワークパッケージの少なくとも２つと関連付けられる、請求項１に記載の方法。
【請求項６】
多数の施工記録の１つが、プラントコンポーネント、プラントサブコンポーネント、およびワークパッケージの１つに属し、多数の施工記録のもう１つが、プラントコンポーネント、プラントサブコンポーネント、およびワークパッケージのもう１つに属し、前記多数の施工記録の１つと前記多数の施工記録のもう１つは同じではない、請求項５に記載の方法。
【請求項７】
多数の施工記録の１つが、プラントコンポーネント、プラントサブコンポーネント、およびワークパッケージの１つに属し、多数の施工記録のもう１つが、プラントコンポーネント、プラントサブコンポーネント、およびワークパッケージのもう１つに属し、前記多数の施工記録の１つと前記多数の施工記録のもう１つは同じではない、請求項１に記載の方法。
【請求項８】
情報を少なくとも１つの施工記録と関連付けるステップが、インポート要求に応答した自動インポートを含む、請求項１に記載の方法。
【請求項９】
情報を少なくとも１つの施工記録と関連付けるステップが、携帯機器からのインポートを含む、請求項１に記載の方法。
【請求項１０】
施工プロジェクトのワークパッケージ、プラントコンポーネント、またはプラントサブコンポーネントを自動的に修正する方法であって、
プラントコンポーネント、プラントサブコンポーネント、およびワークパッケージの少なくとも１つとそれぞれ関連付けられる複数の施工記録を、施工データベースサーバ上の施工データベース内に維持するステップと、
複数の施工記録の外部の情報を自動的に得るステップと、
複数の施工記録の少なくとも１つの施工記録と情報を関連付けるステップと、
情報に基づきワークパッケージを修正するステップと、
修正されたワークパッケージの取出しを可能にするように構成されるユーザインタフェースを提供するステップと
を含む方法。
【請求項１１】
施工データベースが、エンジニアリング記録、コンポーネント記録、ワークパッケージ記録、アーカイブ記録、プロジェクトの文書およびデータの記録、ならびに調達記録からなるグループから選択される複数の記録を含む、請求項１０に記載の方法。
【請求項１２】
自動的に得るステップが、ベンダ記録を受け取るステップ、品質管理記録を受け取るステップ、現場報告記録を受け取るステップ、環境センサからデータを受け取るステップ、ＲＦＩＤ信号を受け取るステップ、およびバーコードリーダから信号を受け取るステップからなるグループから選択される、請求項１０に記載の方法。
【請求項１３】
複数の施工記録の外部の情報が、施工材料関連データ、ベンダ情報、工具較正データ、品質管理データ、天候データ、および人員関連データからなるグループから選択される、請求項１０に記載の方法。
【請求項１４】
少なくとも１つの施工記録と情報を関連付けるステップが、インポート要求に応答した自動インポートを含む、請求項１０に記載の方法。
【請求項１５】
少なくとも１つの施工記録と情報を関連付けるステップが、携帯機器からのインポートを含む、請求項１０に記載の方法。
【発明の詳細な説明】
【技術分野】
【０００１】
本出願は、参照により本明細書に組み込まれる、国際出願ＰＣＴ／ＵＳ／０９／５９７０５号明細書の国際出願に対する優先権を主張する。
【０００２】
本発明の分野は、さまざまなパラメータを非常に複雑な施工環境で進捗追跡（ｔｒａｃｋｉｎｇ）、検証、および／またはアーカイビングするために、外部データを施工データ管理の中に自動統合することである。
【背景技術】
【０００３】
エンジニアリングプロジェクトの複雑さおよび規模が増大するにつれて、費用および工数を管理するために、施工管理がますます重要になってきた。さらに、品質管理の記録および証明書が必要とされる場合、または作業ステップもしくは作業員のトレーサビリティが必要とされる場合、管理に対する要求が、特に核施設の施工で重要となることが多い。
【０００４】
日程計画、材料の流れ、および作業進捗モニタリングに役立つように、数多くの方法およびシステムが当該技術分野で知られている。たとえば、米国特許出願公開第２００５／０１７１７９０号明細書が、作業および材料の流れが実行前にシミュレートされる施工シミュレータについて記載している。同様に、米国特許出願公開第２００３／００３３１８７号明細書が、作業の流れを最適化するのに役立つように、施工および施工の進捗が３次元モデルで図式的に表される施工管理システムを記載している。さらに別の知られている方法では、米国特許出願公開第２００５／００６５８２６号明細書で教示されるように、ボトルネックが識別され、修正のためのアドバイスが提供される作業の流れのオプティマイザが提示されている。さらになお、国際公開第２００４／００８３０６号には、施工進捗を改善し進捗追跡するための施工コンポーネントのＲＦＩＤ標識付けが記載されている。
【先行技術文献】
【特許文献】
【０００５】
【特許文献１】米国特許出願公開第２００５／０１７１７９０号明細書
【特許文献２】米国特許出願公開第２００３／００３３１８７号明細書
【特許文献３】米国特許出願公開第２００５／００６５８２６号明細書
【特許文献４】国際公開第２００４／００８３０６号
【発明の概要】
【発明が解決しようとする課題】
【０００６】
上記の知られているシステムおよび方法の大部分は、１つまたは複数の重要な領域で少なくとも何らかの有利な点があるが、それにもかかわらず、さまざまな難題が残る。たとえば、施工データの外部に存在する活動および／または情報に関連するある種のパラメータが、別個に維持されることが多く、選択された施工データと一緒に容易に取り出すことができない。さらに、すべてのまたはほぼすべての知られている事例では、大部分の外部の活動および／または情報が手作業で記録され、したがって、相当の時間遅延および人為的ミスを免れない。そのような不利な点は、品質管理および／または品質保証の活動が１つまたは複数の重要な領域または事項を明らかにする場合、ならびに領域または事項が大規模施工プロジェクト全体に分散させられている場合、特に望ましくない。
【０００７】
その結果、特に、外部の活動および／または情報が、施工管理および品質管理に関係があるとき、外部の活動および／または情報を記録する、維持する、関連付けるために、システムおよび方法を相当改善する必要が依然としてある。
【課題を解決するための手段】
【０００８】
本発明の主題は、情報と関連付けられた多数の施工記録を協調して迅速に取り出すことができるようにし、情報と関連付けられた活動または事項を含む施工ワークパッケージ（ｗｏｒｋ  ｐａｃｋａｇｅ）の迅速な更新を可能にするために、外部の活動および／もしくは情報を自動的に記録する、ならびに／または外部の活動および／もしくは情報を１つまたは複数の施工記録と関連付けるシステム、構成、および方法に関する。
【０００９】
本発明の主題の一態様では、１つのステップで、複数の施工記録が施工データベースサーバ上の施工データベース内に維持される複数の施工記録から情報を取り出すことを容易にする方法が想到される。別のステップで、複数の施工記録の外部の情報が自動的に得られ、施工記録のそれぞれがプラントコンポーネント、プラントサブコンポーネント（ｓｕｂ−ｃｏｍｐｏｎｅｎｔ）、および／またはワークパッケージと関連付けられる。さらに別のステップで、たとえば情報を使用して多数の施工記録を自動的に取り出すことができるようにするために、情報が１つまたは複数の施工記録と関連付けられる。情報に基づき複数の施工記録の取出しを可能にするようにユーザインタフェースが構成される。
【００１０】
本発明の主題に限定されないが、典型的には、施工データベースは、エンジニアリングデータベース、コンポーネントデータベース、ワークパッケージデータベース、アーカイブデータベース、プロジェクトの文書およびデータの管理データベース、ならびに材料マネージャデータベースを含む１つまたは複数の（論理的または物理的）サブデータベースを含むことが好ましい。一般に、自動的に得るステップは、ベンダ記録を受け取るステップ、品質管理記録を受け取るステップ、現場報告記録を受け取るステップ、環境センサからデータを受け取るステップ、ＲＦＩＤ信号を受け取るステップ、および／またはバーコードリーダから信号を受け取るステップを含むことがさらに好ましい。大部分の実施形態では、複数の施工記録の外部の情報は、施工材料関連データ、ベンダ情報、工具較正データ、品質管理データ、天候データ、および人員関連データの少なくとも１つを含む。
【００１１】
施工記録のそれぞれが、プラントコンポーネント、プラントサブコンポーネント、およびワークパッケージの少なくとも２つと関連付けられること、ならびに／または多数の施工記録の１つが、プラントコンポーネント、プラントサブコンポーネント、およびワークパッケージの１つに属すること、多数の施工記録のもう１つが、プラントコンポーネント、プラントサブコンポーネント、およびワークパッケージのもう１つに属すること、および前記多数の施工記録の１つと前記多数の施工記録のもう１つは同じではないことがさらに想到される。さらに、情報を施工記録と関連付けるステップは、インポート要求に応答した自動インポート、および／または携帯機器からのインポートを含むことが好ましい。
【００１２】
本発明の主題の別の態様では、施工プロジェクトのワークパッケージ、プラントコンポーネント、またはプラントサブコンポーネントを自動的に修正する方法が想到される。好ましい方法が、施工データベースサーバ上の施工データベース内に、プラントコンポーネント、プラントサブコンポーネント、およびワークパッケージの少なくとも１つとそれぞれ関連付けられる複数の施工記録を維持するステップを含む。別のステップで、複数の施工記録の外部の情報が自動的に得られ、次に、情報は、複数の施工記録の少なくとも１つの施工記録と関連付けられる。さらに別のステップで、情報に基づきワークパッケージが修正され、別のステップで、修正されたワークパッケージの取出しを可能にするように構成されるユーザインタフェースが提供される。
【００１３】
前述のように、一般に、施工データベースは、エンジニアリングデータベース、コンポーネントデータベース、ワークパッケージデータベース、アーカイブデータベース、プロジェクトの文書およびデータの管理データベース、ならびに材料マネージャデータベースを含む１つまたは複数のデータベースを含むことが好ましい。最も典型的には、自動的に得るステップは、ベンダ記録を受け取るステップ、品質管理記録を受け取るステップ、現場報告記録を受け取るステップ、環境センサからデータを受け取るステップ、ＲＦＩＤ信号を受け取るステップ、およびバーコードリーダから信号を受け取るステップからなるグループから選択されること、ならびに複数の施工記録の外部の情報が、施工材料関連データ、ベンダ情報、工具較正データ、品質管理データ、天候データ、および人員関連データからなるグループから選択されることが好ましい。
【００１４】
情報を施工記録と関連付けるステップは、インポート要求に応答した自動インポート、および／または携帯機器からのインポートを含むことがさらに好ましい。
【００１５】
本発明の好ましい実施形態の以下の詳細な説明から、本発明のさまざまな目的、特徴、態様、および有利な点がさらに明らかになるであろう。
【図面の簡単な説明】
【００１６】
【図１】本発明の主題による外部データの統合を伴う例示的施工データベースの概略図である。
【図２】本発明の主題による外部データの統合を伴う例示的ワークパッケージシステムの概略図である。
【図３】想到される施工データベースおよびワークパッケージシステム内のさまざまな態様間の相互関係の例示的概略図である。
【発明を実施するための形態】
【００１７】
本発明の主題は、施工データの迅速な（典型的には事後の）解析、および／または得られた外部情報に基づくワークパッケージの迅速な修正を考慮するために、外部データを自動的に得る、ならびに／または外部データを施工データベースおよび／もしくはワークパッケージシステムの中に自動的に統合するシステム、構成、および方法に関する。特に好ましい態様では、情報はリアルタイムまたはほぼリアルタイムで少なくとも１つの施工記録と関連付けられる。その結果、プラントの組立てまたは動作に不可欠な場合があるが通常、施工データベースと関連付けられない情報に基づき、さまざまなプラントコンポーネントおよびプラントサブコンポーネントの要素ならびに／または状態が容易に取り出され、解析されることができることを理解されたい。同様に、プラントの組立てまたは動作に不可欠な場合があるが通常この場合もさらに施工データベースと関連付けられない情報に基づき、ワークパッケージが容易に識別され、修正されることができる。
【００１８】
以下の説明は、コンピュータ／サーバベースの施工データ処理システムに関するが、さまざまな代替構成も適していると考えられ、サーバ、インタフェース、システム、データベース、または個々にまたは共同で動作する別のタイプのコンピューティング機器を含むさまざまなコンピューティング機器を利用してもよいことに留意されたい。コンピューティング機器は、コンピュータ読出可能記憶媒体（たとえばハードドライブ、ＲＡＭ、フラッシュ、ＲＯＭなど）に記憶されるソフトウェア命令を実行するように構成されるプロセッサを含むことを理解されたい。ソフトウェア命令は、特定の装置に関して以下で説明されるような役割、責任、または別の機能を提供するようにコンピューティング機器を構成することが好ましい。特に好ましい実施形態では、さまざまなサーバ、システム、データベース、またはインタフェースが、おそらくＨＴＴＰ、ＨＴＴＰＳ、ＡＥＳ、公開鍵交換、ＷｅｂサービスＡＰＩ、知られている金融取引プロトコル、または別の電子情報交換方法に基づき、標準的なプロトコルまたはアルゴリズムを使用してデータを交換する。データ交換は、パケット交換ネットワーク、インターネット、ＬＡＮ、ＷＡＮ、ＶＰＮ、または別のタイプのパケット交換ネットワーク上で行われることが好ましい。
【００１９】
想到されるシステムおよび方法は、比較的複雑なエンジニアリング契約に、特に、行われる作業の大部分のトレーサビリティが必要とされる核施設でのエンジニアリングに特に有利であることを理解されたい。そのような要件は、そのような作業を管理し進捗追跡するために相当量の時間を要するので、これまでの知られているシステムは、施工作業を正確かつ経済的に計画し、分散させ、管理するのに失敗することが多かった。さらに、従来のシステムはまた、検証および進捗追跡の記録が安全にとって不可欠である場合、特に望ましくない誤りを生み出すことが多かった。
【００２０】
別の望ましい特徴の中でも、想到されるシステムおよび方法により、施工記録の外のデータの自動取得が可能になり、さらに、外部データを施工記録の少なくとも一部と（好ましくは自動的に）関連付けることができるようにする。したがって、施工プロジェクトの再検討および／または解析だけでなくワークパッケージの修正で相当の時間を節約することが、最小のオペレータ入力で可能である。さらに、データまたは記録がプラントでは全く異なるコンポーネントまたはサブコンポーネントに属する場合でさえ、解析および情報取出が、想到されたシステムおよび方法で可能である。たとえば、外部情報が、欠陥のある材料のバッチ番号に関する情報である場合、想到されるシステムおよび方法は、材料を含んでいたすべてのプラントのコンポーネント、サブコンポーネント、およびワークパッケージの識別が容易にできるようにし、さらに、既存のワークパッケージの修正が、欠陥のある材料を避けるまたは置換することができるようにする。
【００２１】
本明細書で使用されるように、用語「情報」または「データ」と組み合わせた用語「外部の」は、プラントのコンポーネントまたはサブコンポーネントの構造もしくは機能、および／またはワークパッケージの内容を説明するのに不可欠なパラメータではない情報またはデータを指す。たとえば、例示的外部データまたは情報が、材料関連データ、ベンダ情報、工具較正データ、品質管理データ、天候データ、および／または人員関連データ（後述）を含む。
【００２２】
本発明の主題の一態様では、施工記録が施工データベースサーバ上の施工データベース内に維持される、複数の施工記録から情報を取り出すことを容易にする方法が想到される。施工記録の外部の情報が自動的に得られることが最も好ましく、さらに好ましい態様では、施工記録のそれぞれが、プラントコンポーネント、プラントサブコンポーネント、およびワークパッケージの少なくとも１つと関連付けられる。次に、外部情報は、たとえば同じ外部情報を使用して多数の施工記録を自動的に取り出すことができるようにするために、１つまたは複数の施工記録と関連付けられる。外部情報に基づき複数の施工記録を取り出すことができるようにするように構成されるユーザインタフェースが提供されることが好ましい。
【００２３】
外部情報を施工データベース内のさまざまな施工記録と関連付けることはまた、有利なことに施工プロジェクトのプラントコンポーネントまたはプラントサブコンポーネントに対するワークパッケージを自動的に修正する方法を可能にすることに留意されたい。特に好ましい方法では、さまざまな施工記録が、施工データベースサーバ上の施工データベース内に維持され、施工記録のそれぞれが、プラントコンポーネント、プラントサブコンポーネント、および／またはワークパッケージと関連付けられる。次に、施工記録の少なくとも一部を使用してワークパッケージが生成され、複数の施工記録の外部の情報が自動的に得られることが特に好ましい。情報が得られると、次に、情報は複数の施工記録の少なくとも１つの施工記録と（好ましくは自動的に）関連付けられ、情報に基づきワークパッケージが修正される。前述のように、修正されたワークパッケージの取出しを可能にするようにユーザインタフェースが構成され、提供されることが一般に好ましい。
【００２４】
たとえば、図１に例示的に描かれているように、大規模施工プロジェクト（たとえば原子力発電所）用施工データベース１００が、コンポーネントデータベース１２０（典型的には、プロジェクトの文書およびデータの管理データベース、材料マネージャデータベース、コンポーネントデータベース、工具および技能の証明書および較正情報が記憶されるデータベース、規則データベース、品質管理データベース、ならびにアーカイブデータベースを含む）に論理的に結合されるエンジニアリングデータベース１１０（最も典型的には、エンジニアリングソフトウェアおよび関連機能モジュールを含む）を含む。コンポーネントデータベース１２０は、ワークパッケージデータベース１３０（典型的には、さまざまなモジュールたとえば品質管理モジュール、溶接モジュール、証明書モジュールと機能的に協力するワークパッケージシステムを含む）に論理的に結合される。外部データ１４０は（たとえば、センサ、プッシュ通知（ｐｕｓｈ  ｎｏｔｉｆｉｃａｔｉｏｎ）、ネットワークデータ転送などを介して）自動的に得られ、エンジニアリングデータベース１１０、コンポーネントデータベース１２０、およびワークパッケージデータベース１３０の少なくとも１つの少なくとも１つのコンポーネントに中継される。
【００２５】
図２は、ワークパッケージシステム２１０が、さまざまなデータベース（たとえば、対象属性データベース、コンポーネント状態データベース、アーカイブデータベース、および別の機能モジュール［ライブの進捗追跡モジュール］）に論理的にそれぞれ結合される、ワークパッケージ問合せ／計画立案セクション、ワークパッケージ生成器、ワークパッケージコンポーネント状態確認（ｓｔａｔｕｓｉｎｇ）セクション、およびワークパッケージ記録セクションを含む図１のシステムの詳細な態様を例示的に描く。この場合も、外部データ２４０が自動的に得られることが好ましく、さらに、ワークパッケージシステムおよび／または関連データベースの１つまたは複数のコンポーネントと自動的に関連付けられることが好ましい。当然、図１に描かれているもの以外のさまざまな並べ換えおよび配置が本明細書で使用するのに適していると考えられることを認識されたい。たとえば、施工データベースは、いくつかの論理サブユニットを有する物理的に単一のユニットでもよい。同様に、サブユニットは、物理的に分離しているが、当該技術分野でよく知られている通信プロトコルを使用して論理的に接続されてもよい。好ましい施工データベースおよびワークパッケージシステムのさらなる詳細および態様が、参照により本明細書に組み込まれる、本発明者らの同時係属中の国際出願ＰＣＴ／ＵＳ／０９／５９７０５号明細書に提供されている。
【００２６】
特に好ましい態様では、施工データベースは複数の記録を含み、すべての知られているタイプの施工記録が本明細書で使用するのに適していると考えられる。たとえば、適切な記録はエンジニアリング記録（たとえば位置記述、機能情報、建築物または基礎構造内部の多数の部分の相互関係など）、さまざまなコンポーネント記録（たとえば材料の種類、溶接タイプなど）、数多くのワークパッケージ記録（たとえば完了することが期待される作業、完了した作業など）、アーカイブ記録、プロジェクトの文書およびデータの記録、調達記録を含む。当然、本明細書で想到される施工記録は、単一サーバ上の単一データベースに、または物理的に別個のサーバ上の多数の独立したもしくは論理的に接続されたデータベースに記憶されてもよいことを理解されたい。
【００２７】
次に、外部情報が、多数の経路を介して（必ずではないが）自動的に得られることが好ましい。具体的経路は、少なくとも部分的に外部情報のタイプ、および外部情報の起点に依存する。たとえば、外部情報がベンダ記録である場合、情報は当該技術分野でよく知られているデータ構造（たとえばＸＭＬ、ＨＴＭＬなど）を使用して電子フォーマットで提供されてもよく、直接ベンダにアクセスすることにより、データベースからの要求により、または手作業入力により、施工データベースの中にインポートされてもよい。一方、外部情報が品質管理記録（たとえば溶接記録、Ｘ線画像など）である場合、記録は、施工データベースに論理的に接続される専用の現場入力機器から生成されてもよい。あるいは、携帯機器（たとえばスマートホン、ラップトップなど）が、現場報告記録を提供するために、無線ネットワークを介して外部情報（たとえば事故の写真、安全報告など）を提供するようにソフトウェアを使って構成されてもよい。さらに別の想到される態様では、外部情報はまた、施工現場にあっても遠隔位置にあってもよい１つまたは複数の環境センサから提供されてもよい（たとえば現場の、また気象サービスにより提供される天候関連データ）。さらに、想到される外部情報は、１つまたは複数のＲＦＩＤリーダまたはトランスポンダ、ビデオキャプチャ機器、および／あるいはバーコードリーダにより提供されてもよい。
【００２８】
したがって、外部情報は、単一の１組のデータ、多数組のデータ、または連続ストリームのデータの形で施工データベースに提供されてもよいことを理解されたい。さらに、データソースのタイプに応じて、データ転送は、無線接続（たとえば携帯ネットワーク、ＷｉＦｉネットワーク、Ｂｌｕｅｔｏｏｔｈ（登録商標）など）を使用して、アップロード、またはローカルエリアネットワークもしくは広域ネットワーク（好ましくは利用制限を伴う）を使用する別の転送により、標準的インタフェース接続（たとえばＵＳＢ２、ＲＳ３２３など）により行われてもよいことを理解されたい。その結果、一般に、外部データは自動的に（すなわち手作業でのユーザ介入なしに）得られ、さらに施工データベースに自動的に転送されることが好ましい。しかしながら、少なくとも一部の例では、外部情報はまた、手作業で得られてもよい、および／または手作業で施工データベースの中に入力されてもよいことに留意されたい。
【００２９】
別の適切な外部情報の中でも、外部情報が、施工材料関連データ（たとえばロット番号、ヒートナンバ（ｈｅａｔ  ｎｕｍｂｅｒ）、受渡日、受渡場所、保管場所など）、ベンダ情報（たとえばベンダ識別、ベンダ所在地など）、工具較正データ（たとえば合否記録、較正の有効期限、較正人員）、品質管理データ（たとえば溶接検査記録、超音波記録、Ｘ線記録など）、天候データ（たとえば温度、降水量、風、湿度など）、および人員関連データ（たとえば作業員の識別情報、作業員の資格記録、特定の作業員に割り当てられたワークパッケージなど）であることが特に好ましい。そのような外部データを使用することは、施工記録のそれぞれの１つ、２つ以上、またはすべてが、プラントコンポーネント、プラントサブコンポーネント、およびワークパッケージの少なくとも２つと関連付けられる場合、特に有利である。
【００３０】
異なる観点から見ると、外部情報は、自動方式で、ならびに／またはユーザおよび／もしくはオペレータの要求に応答して得られてもよい、および／もしくは１つまたは複数の施工記録と関連付けられてもよい。要求は、ユーザ、ネットワーク化されたコンピュータ、および／または携帯機器から提供されてもよい。最も典型的には、外部情報の関連付けは、施工データベース内の１つまたは複数のフィールドと、より好ましくは少なくとも１つの施工記録の１つまたは複数のフィールドと、情報を論理的に関連付けることにより行われる。あるいは、外部情報はまた、物理的におよび／または論理的に別個のデータベースに記憶され、次に、施工データベース内の１つまたは複数の施工記録に論理的に接続されてもよい。図３は、想到されるシステムおよび方法での多数の関連付けを例示的に描いている。
【００３１】
本明細書で想到される関連付けでは、問合せとして特定の外部情報を使用することが、外部情報により関連付けられるまたは影響される１つまたは複数のプラントコンポーネント／サブコンポーネント、および／またはワークパッケージを容易に識別する。同様に、多数の施工記録の１つが、プラントコンポーネント、プラントサブコンポーネント、およびワークパッケージの１つに属すること、および多数の施工記録のもう１つが、プラントコンポーネント、プラントサブコンポーネント、およびワークパッケージのもう１つに属し、前記多数の施工記録の１つと前記多数の施工記録のもう１つは同じではないことが一般に好ましい。したがって、データが、異なるコンポーネント、サブコンポーネント、および／またはワークパッケージと関連付けられる場合、外部データを使用して、本質的に異なる記録が容易に取出し可能である。
【００３２】
このように、電子的施工データ管理において外部データを統合する特定の構成および方法が開示された。しかしながら、本明細書の本発明の概念を逸脱することなくすでに記載されたもの以外にさらに多くの修正形態が可能であることが当業者には明らかであるはずである。したがって、本発明の主題は、添付の特許請求の範囲の精神を除いて制限されるべきではない。さらに、本明細書と特許請求の範囲の両方を解釈する際に、すべての用語が、内容に適合する最も広い可能な方法で解釈されるべきである。特に、用語「含む（ｃｏｍｐｒｉｓｅｓ）」および「含んでいる（ｃｏｍｐｒｉｓｉｎｇ）」は、非排他的方法で要素、コンポーネント、またはステップを指し、参照される要素、コンポーネント、またはステップは、存在しても、利用されても、明示的に参照されない別の要素、構成要素、またはステップと組み合わされてもよいことを示すものと解釈されるべきである。さらに、参照により本明細書に組み込まれる、参照での用語の定義または使用が、本明細書で提供されるその用語の定義と一致しないまたはその定義に反する場合、本明細書で提供されるその用語の定義が適用され、参照でのその用語の定義は適用されない。
【図１】
2013506933.tif 000003
【図２】
2013506933.tif 000004
【図３】
2013506933.tif 000005
【国際調査報告】
2013506933.tif 000006